(57)【要約】【課題】本発明は、農業用ビニールハウスを改良した温室に太陽熱をパッシブに取り入れて室内の桟積木材を乾燥し、生じた湿り空気を断熱円筒のドラフトを利用してパッシブに排気する完全パッシブ太陽熱利用木材乾燥装置を提供する。【解決手段】本発明の完全パッシブ太陽熱利用木材乾燥装置は、構造と設置方位から東西型及び南北型に分類される。乾燥装置本体（ハウス）は屋根面１、南面２、東面（背面側）、西面（正面側）を間に薄い空気層を有する二重透明フイルム３とより厚い空気層を挟んで一重透明フイルム４からなる三重透明フイルム５で、北面６のみ不透明断熱壁で覆われた形状が半蒲鉾型の温室構造である。室内には桟積製材を覆うように炭素繊維シート（ＣＦシート）７又はこれに類似した黒色シートが天井から空間を保って吊り下げられ、これが日射を吸収して集熱すると同時に、桟積製材への直射日射を遮る役目をする。【選択図】図１
2007298261.tif 000002
【特許請求の範囲】
【請求項１】
東西方向向きの半蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材を覆うように吊り下げ、北面の東側と西側の隅に断熱円筒をそれぞれ直立に設置し、それら断熱円筒の下部に取り付けたダンパーを通して室内の湿潤空気を断熱円筒のドラフトを利用してパッシブ排気し、室内の南面側にはファンコンベクター及び北面側には室内ファンを配置し、室内の高温空気をゆっくり循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給し、夜間の不照時あるいは日中の日射量不足に対して不足分を補給してふく射と対流によって桟積製材の乾燥を促進することを特徴とする完全パッシブ太陽熱利用木材乾燥装置。
【請求項２】
南北方向向きの蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材を覆うように吊り下げ、北面の東側と西側の隅に断熱円筒をそれぞれ直立に設置し、それら断熱円筒の下部に取り付けたダンパーを通して室内の湿潤空気を断熱円筒のドラフトを利用してパッシブ排気し、室内の東西面側の裾部にはファンコンベクター及び室内の東西面側の天井部には室内ファンを配置し、室内空気の循環は対角線上に配置された東面側のファンコンベクターと西面側の室内ファン及び西面側のファンコンベクターと東面側の室内ファンがそれぞれ一対となって連動して作動し、室内の高温空気をゆっくり循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給し、夜間の不照時あるいは日中の日射量不足に対して不足分を補給してふく射と対流によって桟積製材の乾燥を促進することを特徴とする完全パッシブ太陽熱利用木材乾燥装置。
【発明の詳細な説明】
【技術分野】
【０００１】
本発明は、農業用ビニールハウスを改良した温室に太陽熱をパッシブに取り入れて室内の桟積木材を乾燥し、生じた湿り空気を断熱円筒のドラフトを利用してパッシブに排気する完全パッシブ太陽熱利用木材乾燥装置に関する。
【背景技術】
【０００２】
従来、木材の人工乾燥は、蒸気式、電気式等の方法による高温（１００℃以上）の急速乾燥（乾燥日数３〜４日）で行われており、これによる乾燥材には曲がり、割れ、ひびなどの発生があって品質が良いとはいえない。
一方、太陽熱利用の木材乾燥は、強制循環式空気集熱器を設置してアクティブ利用による方法が試みられている（特許文献１を参照）。
この太陽熱乾燥技術は、炭素繊維シート（ＣＦシート）を集熱材に使った面積１２０ｍ２の空気集熱器を屋根一杯に載せて、大型ファンで強力に集熱し、得られた温風を乾燥室に導き撹拌して行う太陽熱のアクティブ利用である。
これにより１１ｍ３の針葉樹製材を９日間で水分２０％以下まで乾燥した実績がある。
この方法は当時でもコスト的に引き合い、乾燥材の材質も良好とされたが、電力消費が大きく、その後のエネルギー情勢の緩和もあって普及に至らなかった。
【０００３】
本出願人は、北海道地方に豊富な温泉熱や太陽熱を熱源として、地域の自然エネルギーの複合利用によるカラマツ材の低温乾燥を行って、低コストで良質のカラマツ乾燥材を量産し、建築材として利活用しようとする、ＣＯ２を排出せず、環境にも配慮した木材乾燥装置及び低温乾燥方法を開発した（特許文献２を参照）。
この公知技術は、カラマツ丸太ハウス内部に透明シート（一部不透明シート）で造った箱形袋をハウス天井より天吊棒で蚊帳様につり下げて大型の乾燥室を構成し、室内に桟積みした桟積製材を数カ所に配置し、床（一部壁も使用）にはふく射乾燥用に床暖パネルを敷き、乾燥室天井に温風乾燥用の大型循環ファンを、適当な床高に熱交換器付きファンを、乾燥室裾部に小型循環ファンをそれぞれ設置したものである。
【特許文献１】特開昭６３−７００４８号公報
【特許文献２】特開２００３−２４５９０６号公報
【発明の開示】
【発明が解決しようとする課題】
【０００４】
本発明は、農業用ビニールハウスを改良した温室に太陽熱をパッシブに取り入れて室内の桟積木材を乾燥し、生じた湿り空気を断熱円筒のドラフトを利用してパッシブに排気する完全パッシブ太陽熱利用木材乾燥装置を提供することを目的とする。
【課題を解決するための手段】
【０００５】
本発明の完全パッシブ太陽熱利用木材乾燥装置は、東西方向向きの半蒲鉾型ハウスの屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内の天井近くには桟積された製材を覆うように炭素繊維シート又はこれに類似した黒色シートを張り、北面の東側と西側の隅に断熱円筒をそれぞれ直立に設置し、各断熱円筒の下部に取り付けたダンパーを通して室内の湿潤空気を断熱円筒のドラフトを利用してパッシブ排気し、室内の南面側の裾部にはファンコンベクター及び室内の北面側の天井部には室内ファンを配置し、室内の高温空気をゆっくり循環して桟積製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給し、夜間の不照時あるいは日中の日射量不足に対して不足分を補給してふく射と対流によって桟積製材の乾燥を促進するものである。
【０００６】
本発明の完全パッシブ太陽熱利用木材乾燥装置は、南北方向向きの蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材を覆うように吊り下げ、北面の東側と西側の隅に断熱円筒をそれぞれ直立に設置し、それら断熱円筒の下部に取り付けたダンパーを通して室内の湿潤空気を断熱円筒のドラフトを利用してパッシブ排気し、室内の東西面側の裾部にはファンコンベクター及び室内の東西面側の天井部には室内ファンを配置し、室内空気の循環は対角線上に配置された東面側のファンコンベクターと西面側の室内ファン及び西面側のファンコンベクターと東面側の室内ファンがそれぞれ一対となって連動して作動し、室内の高温空気をゆっくり循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給し、夜間の不照時あるいは日中の日射量不足に対して不足分を補給してふく射と対流によって桟積製材の乾燥を促進するものである。
【発明の効果】
【０００７】
本発明の完全パッシブ太陽熱利用木材乾燥装置の（Ａ）東西型は、カラマツ、トドマツ、エゾマツ等の針葉樹の製材容積１２m3を一週間で含水率５０%から２０%まで乾燥させ得る性能を有する。
完全パッシブ太陽熱利用木材乾燥装置の床面積２２．５m2、初期設備費８００万円程度、消費電力１W以下、乾燥費用は１，０００円/m3で従来の蒸気乾燥方式より安上がりである。
補助ボイラーにはおが粉、ペレット等の木質燃料を用いた燃焼熱と太陽熱との併用による脱石油の技術である。
【０００８】
本発明の完全パッシブ太陽熱利用木材乾燥装置の（Ｂ）南北型の性能及び費用は、前項の東西型とほぼ同様である。
相違点はファンコンベクター２台×２組=４台と室内ファン４個×２組=８個が必要で、２倍の設置台数となることであるが、その分、機器設備費、電気消費量が増えるが、１日を午前と午後に分けて室内空気の循環方向を左右交代することにより、乾燥ムラを少なくし、良質の乾燥材を生産できる特徴がある。
【発明を実施するための最良の形態】
【０００９】
本発明の完全パッシブ太陽熱利用木材乾燥装置の一実施例を添付図面に基づいて、以下に説明する。
本発明の完全パッシブ太陽熱利用木材乾燥装置は、構造と設置方位から（Ａ）東西型及び（Ｂ）南北型に分類される。
はじめに、完全パッシブ太陽熱利用木材乾燥装置の（Ａ）東西型について、以下に説明をする。
図１の概略断面図に示すように、乾燥装置本体（ハウス）は屋根面１、南面２、東面（背面側）、西面（正面側）を間に薄い空気層を有する二重透明フイルム３とより厚い空気層を挟んで一重透明フイルム４からなる三重透明フイルム５で、北面６のみ不透明断熱壁で覆われた形状が半蒲鉾型の温室構造である。
【００１０】
乾燥装置本体（ハウス）は桟積製材１０〜１２m3が収まる容積で、寸法は間口４．５m×奥行き５．０m×高さ３．０m程度で、西面（正面側）に搬入搬出用の出入口ドアがある。
乾燥装置本体（ハウス）は北面６のみ不透明断熱壁で、その他の屋根面１、南面２、東西面（背面、正面）は三重透明フイルム５で構成された透明壁で、室内には桟積製材を覆うように炭素繊維シート（ＣＦシート）７又はこれに類似した黒色シートが天井から空間を保って吊り下げられ、これが日射を吸収して集熱すると同時に、桟積製材への直射日射を遮る役目をする。
北面６の隅には断熱円筒８を東側と西側にそれぞれ１本ずつ計２本を直立に設置し、各断熱円筒８の下部に取り付けた計２個の排気ダンパーＤ２を通して室内の湿潤空気を前記断熱円筒８のドラフトを利用してパッシブ排気する。
排気した相当分の空気は東西面の南面２側の裾部に設けた外気に通じる２個の吸気ダンパーＤ１を通して外気を取り入れる。
ここで、北面不透明断熱壁の内側表面は入射した日射の吸収を良くするために黒色塗装を施してある。
【００１１】
乾燥装置本体（ハウス）の室内の南面２側には２台のファンコンベクターＦＣ１及び北面６側には４個の室内ファンＦ２が配置され、室内の高温空気をゆっくり矢印で示すように循環して桟積製材の表面及び材間を通風して乾燥を促すように作用する。
床面のコンクリート土間９に床暖パネルＦＨを敷設し、外部には木質材料を燃料とする補助ボイラーBHWを設置して、温水ポンプPHWにより温水を床暖パネルＦＨ及びファンコンベクターＦＣのコイルに供給し、夜間の不照時あるいは日中の日射量不足に対して不足分を補給してふく射と対流によって桟積製材の乾燥を促進する。
ここで、床暖パネルＦＨを埋設したコンクリート土間９は乾燥のためのふく射効果と室温維持のための蓄熱効果を有しているし、コンクリート土間表面は入射した日射の吸収を良くするため黒色塗装をしてある。
乾燥は乾燥装置本体（ハウス）の室内に製材を桟積みにし、室内に入射した日射のふく射と炭素繊維シート（ＣＦシート）７又はこれに類似した黒色シートにより生じた高温空気の循環による温風の対流で行われる。
三重透明フイルム５及び炭素繊維シート（ＣＦシート）７又はこれに類似した黒色シートの組み合わせにより太陽熱は十分に捕集、集熱されて年間の平均集熱効率は６５%以上に達する。
なお、ＳＲは日射計、ＴＲは温度センサー、ＨＲは湿度センサーである。
【００１２】
次に、本発明の完全パッシブ太陽熱利用木材乾燥装置の（Ａ）東西型の制御及び稼働について、図１に基づいて説明する。
日中は、吸気ダンパーD１−１、D１−２と断熱円筒８の排気ダンパーD２−１、D２−２は連動して開度が自動的に変化し、乾燥装置本体（ハウス）の室内の湿り空気は断熱円筒８の排気ダンパーD２−１、D２−２から断熱円筒８のドラフトにより室外にパッシブ排気され、吸気ダンパーD１−１、D１−２から同量の外気が吸気される。
１日の乾燥工程は、日中の日照時に吸気ダンパーD１−１、D１−２及び排気ダンパーD２−１、D２−２は日射量に比例した開度に開いて日中モードとなり、夜間は１／３に閉じられて夜間モードになる。
朝、日射を受けて日射量が日射計ＳＲの出力で０．０２kW/m2以上になると吸気ダンパーD１−１、D１−２は開き始め、日射量とともに開度が増して排気量が増大し、日中モードで桟積製材の乾燥が促進される。
日中、日射のある間は吸気ダンパーD１−１、D１−２及び排気ダンパーD２−１、D２−２は日射量に比例した開度に開いて日中モードによる乾燥が継続する。
夕方、日射量が減じると吸気ダンパーD１−１、D１−２及び排気ダンパーD２−１、D２−２が閉じ始め、０．０２kW/m2以下になると開度が１／３に閉じて夜間モードに切り替わり、夜間を通して継続する。
また、湿度センサーHRが室内湿度の異常な上昇を感知したときは吸気ダンパーD１−１、D１−２及び排気ダンパーD２−１、D２−２は自動で全開となり、湿度が低下するとこれらダンパーは再び１／３に閉じる。
なお、緊急時には各ダンパーＤ１、Ｄ２は個々に手動で開閉が可能である。
【００１３】
翌朝、日射の入射とともに乾燥装置本体（ハウス）は上記と同様な各ダンパーの制御で稼働が繰り返される。
その間、室内の南面２側の２台のファンコンベクターＦＣ１−１、ＦＣ１−２及び北面６側の４個の室内ファンＦ２−１〜Ｆ２−４は常時作動し、室内空気をゆっくり矢印で示すように左回りに循環させて、温風による対流乾燥を行う。
夜間は室内温度が低下するので、補助ボイラーBHWからの燃焼熱で賄われ、温水ポンプPHWで床暖パネルＦＨ及びファンコンベクターＦＣのコイルに５０〜６０℃の温水を供給し、温度センサーTRで制御されて室温が４０℃に維持され、床暖パネルＦＨからのふく射及びファンコンベクターＦＣのコイルからの温風の対流により夜間モードで乾燥が行われる。
日中でも日射量が極端に減少したときは夜間モードになり、日射の回復とともに日中モードに戻る。
【００１４】
次に、本発明の完全パッシブ太陽熱利用木材乾燥装置の（Ｂ）南北型について、以下に説明をする。
図２の概略断面図に示すように、乾燥装置本体（ハウス）は蒲鉾型で、屋根面１、南面（背面）、東面１０、西面１１は三重透明フイルム５で覆われた透明壁で、北面（正面）のみ不透明断熱壁である。
北面（正面）には断熱円筒８を東面１０側と西面１１側の隅にそれぞれ１本ずつ計２本を直立に設置し、各断熱円筒８の下部に取り付けた計２個の排気ダンパーＤ２を通して室内の湿潤空気を前記断熱円筒８のドラフトを利用してパッシブ排気する。
排気した相当分の空気は南面（背面）の東面１０側と西面１１側の裾部に設けたそれぞれ１個、計２個の外気に通じる吸気ダンパーＤ１を通して外気を取り入れる。
北面（正面）には搬入搬出用の出入口ドア１２がある。
【００１５】
乾燥室の寸法、容量は東西型と同様で、桟積みした桟積製材１０〜１２m3が収まる容積で、寸法は間口４．５m×奥行き５．０m×高さ３．０m程度である。
木材の桟積製材の上方には炭素繊維シート（ＣＦシート）７又はこれに類似した黒色シートが天井から空間を保って吊り下げられ、これにより木材を覆って日射の遮蔽及び吸収の効果を利用して、日射の室内への捕集と集熱及び桟積製材の材質保護の役目をしている。
ここで、三重透明フイルム５と炭素繊維シート（ＣＦシート）７又はこれに類似した黒色シートの組み合わせにより年間の平均集熱効率は６５%以上である。
乾燥装置本体（ハウス）の室内の東西面側の裾部には２台×２組、計４台のファンコンベクターＦＣ１、ＦＣ２及び室内の東西面側の天井部には４個×２組、計８個の室内ファンＦ１、Ｆ２が配置され、室内空気をゆっくり矢印で示すように循環させる役目をする。
床面のコンクリート土間９に床暖パネルＦＨを敷設し、外部には木質材料を燃料とする補助ボイラー（図示せず）を設置して、温水ポンプ（図示せず）により温水を床暖パネルＦＨ及びファンコンベクターＦＣ１、ＦＣ２のコイルに供給し、夜間の不照時あるいは日中の日射量不足に対して不足分を補給してふく射と対流によって桟積製材の乾燥を促進する。
【００１６】
木材乾燥は、日中は三重透明フイルム５を透過した太陽熱を熱源した日中モードで行われ、夜間及び極度の日射量不足の日は床暖パネルＦＨとファンコンベクターＦＣ１、ＦＣ２を介した燃焼熱で補助する夜間モードで行われる。
夜間モードではファンコンベクターＦＣ１、ＦＣ２のコイル及びコンクリート土間９に埋設された床暖パネルＦＨに温水が送られ、前記ファンコンベクターＦＣ１、ＦＣ２では温風による対流乾燥と、前記床暖パネルＦＨでは床暖によるふく射乾燥が行われる。
ここで、コンクリート土間９には駆体蓄熱の効果があり、表面は黒色塗装をしてある。
乾燥装置本体（ハウス）の室内には空気循環用に４組のファンコンベクターＦＣ１、ＦＣ２、８個の室内ファンＦ１、Ｆ２が配置され、室内空気の循環は対角線上に配置された東面１０側のファンコンベクターＦＣ１と西面１１側の室内ファンＦ１及び西面１１側のファンコンベクターＦＣ２と東面１０側の室内ファンＦ２がそれぞれ一対となって連動して作動し、一方の一対が午前の実線矢印で示す右回りを受け持てば、他方の一対は午後の破線矢印で示す左回りを受け持つように制御される。
ファンコンベクターＦＣ１、ＦＣ２及び室内ファンＦ１、Ｆ２はタイマーによる自動運転によって回転または停止する。
これにより桟積製材の乾燥が均一に行われ、材質の品位が保たれる。
【００１７】
次に、本発明の完全パッシブ太陽熱利用木材乾燥装置の（Ｂ）南北型の制御及び稼働について、図２に基づいて説明する。
朝方、日射を受けて日射量が日射計ＳＲの出力で０．０２kW/m2以上になると吸気ダンパーD１−１、D１−２及び断熱円筒８下部の排気ダンパーD２−１、D２−２が開きはじめ、日射量に比例して開度が進み、やがて全開になって外気を十分に吸気し、湿り空気を十分に排気する日中モードで乾燥が継続される。
夕方、日射量が減じるとそれに比例して吸気ダンパーD１−１、D１−２及び排気ダンパーD２−１、D２−２が閉じ始め、０．０２kW/m2以下になると開度１／３に閉じて夜間モードに入る。
また、湿度センサーHRが室内湿度の異常な上昇を感知したときは吸気ダンパーD１−１、D１−２及び排気ダンパーD２−１、D２−２は自動で全開となり、湿度が低下するとこれらダンパーは再び１／３に閉じる。
なお、緊急時には各ダンパーは個々に手動で開閉が可能である。
夜間モードでは温水ボイラー（図示せず）が作動し、温度センサーTRによって室温３５℃-ON、４０℃-OFFで制御された温水ポンプ（図示せず）によって温水が床暖パネルＦＨとファンコンベクターＦＣ１、ＦＣ２のコイルに供給され、室温４０℃前後が維持されて乾燥が継続される。
日中でも日射量が極端に減少し、室温が低下したときは夜間モードで温水供給が行われる。
【００１８】
翌朝、乾燥装置本体（ハウス）は日射を受けて始動し、日射量の増減とともに上記の制御と作動を繰り返す。
室内空気の循環は、対角線上に配置された一方のファンコンベクターＦＣ１の２台及び室内ファンＦ１の４個の一対は午前０時から１２時まで作動すれば、他方のファンコンベクターＦＣ２の２台及び室内ファンＦ２の４個の一対は午後１２時から２４時まで作動して、それぞれ室内空気の右回転（実線矢印方向）及び左回転（破線矢印方向）に循環させる。
各一対のファンコンベクターＦＣ１、ＦＣ２及び室内ファンＦ１、Ｆ２はタイマーによる自動運転で回転し、停止する。
完全パッシブ太陽熱利用木材乾燥装置の（Ｂ）南北型はカラマツ、トドマツ、エゾマツ等の針葉樹の製材容積１２m3を一週間で含水率５０%から２０%まで乾燥させ得る性能を有する。
【図面の簡単な説明】
【００１９】
【図１】本発明の完全パッシブ太陽熱利用木材乾燥装置の（Ａ）東西型の概略断面図である。
【図２】本発明の完全パッシブ太陽熱利用木材乾燥装置の（Ｂ）南北型の概略断面図である。
【符号の説明】
【００２０】
１  屋根面
２  南面
３  二重透明フイルム
４  一重透明フイルム
５  三重透明フイルム
６  北面
７  炭素繊維シート（ＣＦシート）
８  断熱円筒
９  コンクリート土間
１０  東面
１１  西面
１２  出入口ドア
【図１】
2007298261.tif 000003
【図２】
2007298261.tif 000004
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
東西方向向きの半蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材の上方を覆うように吊り下げ、室内の南面裾部側には上向きにファンコンベクター及び北面天井部側には下向きに室内ファンを配置して室内の高温空気をゆっくり循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給して夜間の不照時あるいは日中の日射量不足に対して不足分を補給してふく射と対流によって桟積製材の乾燥を促進し、北面の東側と西側の隅に断熱円筒をそれぞれ直立に設置し、それら断熱円筒の下部に取り付けたダンパーを通して室内の湿潤空気を断熱円筒のドラフトを利用してパッシブ排気することを特徴とする完全パッシブ太陽熱利用木材乾燥装置。
【請求項２】
南北方向向きの蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材の上方を覆うように吊り下げ、室内の東西面側の裾部には上向きにファンコンベクター及び室内の東西面側の天井部には反対向きに室内ファンをそれぞれ配置し、室内空気の循環は対角線上に配置された東面側のファンコンベクターと西面側の室内ファン及び西面側のファンコンベクターと東面側の室内ファンがそれぞれ一対となって連動して作動して室内の高温空気をゆっくり右循環又は左循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給して夜間の不照時あるいは日中の日射量不足に対して不足分を補給してふく射と対流によって桟積製材の乾燥を促進し、北面の東側と西側の隅に断熱円筒をそれぞれ直立に設置し、それら断熱円筒の下部に取り付けたダンパーを通して室内の湿潤空気を断熱円筒のドラフトを利用してパッシブ排気することを特徴とする完全パッシブ太陽熱利用木材乾燥装置。
【手続補正２】
【補正対象書類名】明細書
【補正対象項目名】０００５
【補正方法】変更
【補正の内容】
【０００５】
本発明の完全パッシブ太陽熱利用木材乾燥装置は、東西方向向きの半蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材の上方を覆うように吊り下げ、室内の南面裾部側には上向きにファンコンベクター及び北面天井部側には下向きに室内ファンを配置して室内の高温空気をゆっくり循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給して夜間の不照時あるいは日中の日射量不足に対して不足分を補給してふく射と対流によって桟積製材の乾燥を促進し、北面の東側と西側の隅に断熱円筒をそれぞれ直立に設置し、それら断熱円筒の下部に取り付けたダンパーを通して室内の湿潤空気を断熱円筒のドラフトを利用してパッシブ排気するものである。
【手続補正３】
【補正対象書類名】明細書
【補正対象項目名】０００６
【補正方法】変更
【補正の内容】
【０００６】
本発明の完全パッシブ太陽熱利用木材乾燥装置は、南北方向向きの蒲鉾型ハウスは屋根面、南面、東面及び西面が、間に薄い空気層を有する二重透明フイルムとより厚い空気層を挟んで一重透明フイルムからなる三重透明フイルムで覆われ、北面のみが不透明断熱壁で覆われた温室構造で、室内には炭素繊維シート又はこれに類似した黒色シートを天井から空間を保って桟積された製材の上方を覆うように吊り下げ、室内の東西面側の裾部には上向きにファンコンベクター及び室内の東西面側の天井部には反対向きに室内ファンをそれぞれ配置し、室内空気の循環は対角線上に配置された東面側のファンコンベクターと西面側の室内ファン及び西面側のファンコンベクターと東面側の室内ファンがそれぞれ一対となって連動して作動して室内の高温空気をゆっくり右循環又は左循環して桟積された製材の表面及び材間を通風して乾燥を促すように作用し、床面のコンクリート土間に床暖パネルを敷設し、外部には木質材料を燃料とする補助ボイラーを設置して、温水ポンプにより温水を床暖パネル及びファンコンベクターのコイルに供給して夜間の不照時あるいは日中の日射量不足に対して不足分を補給してふく射と対流によって桟積製材の乾燥を促進し、北面の東側と西側の隅に断熱円筒をそれぞれ直立に設置し、それら断熱円筒の下部に取り付けたダンパーを通して室内の湿潤空気を断熱円筒のドラフトを利用してパッシブ排気するものである。